(57)【要約】【課題】瓦焼成中における熱変形を防止して全長を長くすることができ、また釉薬の付着が生じた場合にも平板瓦焼成用棚台全体を交換する必要がない平板瓦焼成用窯道具を提供する。【解決手段】Ｓｉ含浸ＳｉＣまたは再結晶ＳｉＣなどの高温強度の高い耐火物からなる断面Ｕ字状の支持ビーム４の内部に、複数個に分割された平板瓦焼成用棚台１を配置した。平板瓦焼成用棚台１は、平板瓦支持板５の傾斜支持部３と、平板瓦支持板５の下端が挿入される保持溝２とを備えたものであることが好ましい。【選択図】図１
2007246385.tif 000002
【特許請求の範囲】
【請求項１】
高温強度の高い耐火物からなる断面Ｕ字状の支持ビームの内部に、複数個に分割された平板瓦焼成用棚台を配置したことを特徴とする平板瓦焼成用窯道具。
【請求項２】
高温強度の高い耐火物が、Ｓｉ含浸ＳｉＣまたは再結晶ＳｉＣであることを特徴とする請求項１に記載の平板瓦焼成用窯道具。
【請求項３】
平板瓦焼成用棚台が、平板瓦支持板の傾斜支持部と、平板瓦支持板の下端が挿入される保持溝と、瓦支持部とを備えたものであることを特徴とする請求項１〜請求項２のいずれかに記載の平板瓦焼成用窯道具。
【請求項４】
支持ビームの内部に配置された、両端の平板瓦焼成用棚台を、支持ビームに固定したことを特徴とする請求項１〜請求項３のいずれかに記載の平板瓦焼成用窯道具。
【請求項５】
支持ビームの底部に固定突起を突設し、平板瓦焼成用棚台に前記固定突起が挿入される貫通穴を形成して、前記固定突起を前記貫通穴に挿入して、平板瓦焼成用棚台を、支持ビームに固定したことを特徴とする請求項４に記載の平板瓦焼成用窯道具。
【請求項６】
支持ビームの内側に固定突起を突設し、平板瓦焼成用棚台に前記固定突起が係合する係合凹部を形成し、前記固定突起を前記係合凹部に係合させて、平板瓦焼成用棚台を、支持ビームに固定したことを特徴とする請求項４に記載の平板瓦焼成用窯道具。
【発明の詳細な説明】
【技術分野】
【０００１】
本発明は、トンネル窯などにより平板瓦を焼成する際に用いる平板瓦焼成用窯道具に関するものである。
【背景技術】
【０００２】
平板瓦をトンネル窯やシャトル窯等で焼成する場合には、特許文献１に示されるように焼成台車上に棚組みされた平板瓦焼成用棚台に、平板瓦を複数枚立てた状態に保持して焼成するのが普通である。図１０はこのような従来技術の一例を示すものであり、２０は被焼成品である平板瓦、２１は平板瓦焼成用棚台、２２は平板瓦２０を若干傾斜させた状態で保持するための平板瓦支持板である。このような平板瓦焼成用窯道具においては、前記平板瓦焼成用棚台２１はＳｉＣのセラミックスで作成され、両端を棚脚により支持された状態で用いられていた。
【０００３】
しかし、平板瓦焼成用棚台は焼成中に平板瓦の重量と高温により破損するおそれがあるため比較的短くせざるを得ず、平板瓦焼成用棚台が短いために棚組みに手数を要するなどの問題があった。また焼成中に平板瓦の表面に塗布してある釉薬が平板瓦焼成用棚台に付着すると、その後に焼成される平板瓦を汚損するため、平板瓦焼成用棚台全体を交換する必要があるという問題点があった。
【特許文献１】特開２００３−２１２６３８号公報
【発明の開示】
【発明が解決しようとする課題】
【０００４】
本発明は上記のような問題点を解決して、焼成中における熱変形を防止して全長を長くすることができ、また釉薬の付着が生じた場合にも平板瓦焼成用棚台全体を交換する必要がない平板瓦焼成用窯道具を提供することを目的として完成されたものである。
【課題を解決するための手段】
【０００５】
上記課題を解決するためになされた本発明の平板瓦焼成用窯道具は、高温強度の高い耐火物からなる断面Ｕ字状の支持ビームの内部に、複数個に分割された平板瓦焼成用棚台を配置したことを特徴とするものである。なお高温強度の高い耐火物は、Ｓｉ含浸ＳｉＣまたは再結晶ＳｉＣであることが好ましく、平板瓦焼成用棚台は、平板瓦支持板の傾斜支持部と、平板瓦支持板の下端が挿入される保持溝と、瓦支持部とを備えたものであることが好ましい。
【０００６】
なお、支持ビームの内部に配置された、両端の平板瓦焼成用棚台を、支持ビームに固定することが好ましく、その方法として、支持ビームの底部に固定突起を突設し、平板瓦焼成用棚台に前記固定突起が挿入される貫通穴を形成して、前記固定突起を前記貫通穴に挿入することが好ましい。あるいは、支持ビームに固定突起を突設し、平板瓦焼成用棚台の内側に前記固定突起が係合する係合凹部を形成し、前記固定突起を前記係合凹部に係合させて、平板瓦焼成用棚台を、支持ビームに固定することが好ましい。
【発明の効果】
【０００７】
本発明では、Ｓｉ含浸ＳｉＣまたは再結晶ＳｉＣ等の高温強度の高い耐火物からなる断面Ｕ字状の支持ビームの内部に、複数個に分割された平板瓦焼成用棚台を配置した構造とすることにより、焼成中における熱変形を的確に防止することが可能となり、１本の長さを長くすることができる。このため棚組みが簡単に行えるようになる。また、断面Ｕ字状の支持ビームの内部に平板瓦焼成用棚台を複数に分割して配置したので、釉薬の付着や部分的な破損が生じた場合にも、その平板瓦焼成用棚台のみの交換で簡単に対応することが可能となり、コストダウンを図ることができる。
【０００８】
なお、支持ビームの内部に配置された、両端の平板瓦焼成用棚台を、支持ビームに固定すると、平板瓦焼成用棚台が支持ビーム上でずれることにより、自動機のロボットアームが、平板瓦焼成用棚台や平板瓦等に干渉してしまうことや、平板瓦のピッチが変わってしまうことにより、自動機で平板瓦の積みおろしができないということを防止することが可能となる。
【０００９】
また、支持ビームの底部に固定突起を突設し、平板瓦焼成用棚台に前記固定突起が挿入される貫通穴を形成して、前記固定突起を前記貫通穴に挿入して、平板瓦焼成用棚台を、支持ビームに固定することとすると、簡単に平板瓦焼成用棚台を、位置決めして支持ビームに載せることが可能となり、より容易に平板瓦焼成用窯道具を製作することが可能となる。
【００１０】
あるいは、支持ビームに固定突起を突設し、平板瓦焼成用棚台に前記固定突起が係合する係合凹部を形成し、前記固定突起を前記係合凹部に係合させて、平板瓦焼成用棚台を、支持ビームに固定することとしても、簡単に平板瓦焼成用棚台を、位置決めして支持ビームに載せることが可能となり、より容易に平板瓦焼成用窯道具を製作することが可能となる。
【発明を実施するための最良の形態】
【００１１】
以下に、図面を参照しつつ本発明の好ましい実施の形態を示す。（第１の実施形態）
図面は本発明の実施形態を示すものであって、図１は正面図、図２は側面図、図３は平面図である。
これらの図において１は平板瓦焼成用棚台であり、従来と違い耐火性のみを有するムライト系セラミックス等で形成されている。平板瓦焼成用棚台１は、平板瓦支持板５を傾斜状態で支持する傾斜支持部３と、平板瓦支持板５の下端が挿入される保持溝２と、平板瓦１０の下端を載せる瓦支持部６とを一定ピッチで備えたものである。本発明では、平板瓦焼成用棚台１は従来のように数十センチメートルの１本の長い成形品とは異なり、長さが２０〜３０センチメートル程度の小型のブロック体に分割されている。
【００１２】
本発明では、これらの平板瓦焼成用棚台１は、図４に示されるような高温強度の高い耐火物からなる断面Ｕ字状の支持ビーム４の内部に一列に配置される。この支持ビーム４は、例えばＳｉＣにＳｉを含浸させたセラミックスあるいは再結晶ＳｉＣ等からなる高温強度の高い耐火物からなるものであり、１２００〜１４００℃の焼成温度下において十分な強度を有し、ほとんど熱変形が生じないものである。
【００１３】
また、この支持ビーム４は全長が数十センチメートルの１本の長い成形品であり、この実施形態では図１および図３に示すように、１本の支持ビーム４の内部に４個の平板瓦焼成用棚台１がセットされている。この支持ビーム４は、図２および図４に示されるように両側の側壁４ａ、４ａで平板瓦焼成用棚台１の側部を固定し、底面４ｂで平板瓦焼成用棚台１を受けて支持するものである。なお、その肉厚は４〜１０ミリ程度とすればよく、この実施形態では側壁４ａ、底面４ｂとも５ミリである。なお、平板瓦焼成用棚台１と支持ビーム４は、耐火モルタル２０で接着されている。
【００１４】
このように構成された本発明の平板瓦焼成用窯道具は、図１に示すように平板瓦支持板５を平板瓦焼成用棚台１の保持溝２に装入し、傾斜支持部３に添わせて傾斜状態とし、平板瓦１０をこの平板瓦支持板５により傾斜状態で保持させる。この実施形態では各ブロック体は２枚の平板瓦１０を支持できるので、１本の支持ビーム４で８枚の平板瓦１０を焼成することができる。
【００１５】
次に第２の実施形態を説明する。図５に第２の実施形態の正面図を示し、図６は第２の実施形態の側面図を示し、図７に第２の実施形態の平面図を示す。
この第２の実施形態では、図５や図７に示されるように、支持ビーム４の底部の両端よりもやや内側の部分に、円柱形状の固定突起７が突設されている。この固定突起７の下部が、耐火モルタル２１で支持ビーム４の底部と接着されている。なお、前記耐火モルタル２１は、熱硬性の耐火モルタル２１であっても差し支えないが、強度の観点から、気硬性の耐火モルタル２１であることが好ましい。
【００１６】
支持ビーム４の内部に配置された、両端の平板瓦焼成用棚台１には、平板瓦焼成用棚台１の上面から下面を鉛直方向に貫通する貫通穴１ａが形成され、この貫通穴１ａに固定突起７を挿入して、両側の平板瓦焼成用棚台１を支持ビーム４に固定している。固定突起７で固定されていない、支持ビーム４の内側に配置された、中側の平板瓦焼成用棚台１は、固定突起７で固定された、両側の平板瓦焼成用棚台１により、支持ビーム４の長手方向の動きが規制される。
【００１７】
このように、固定突起７で、平板瓦焼成用棚台１を固定することとしたので、平板瓦焼成用棚台１と支持ビーム４を接着する耐火モルタル２０が剥がれて、平板瓦焼成用棚台１が支持ビーム４上でずれることにより、自動機のロボットアームが、平板瓦焼成用棚台１や平板瓦１０等に干渉してしまうことや、平板瓦１０のピッチが変わってしまうことにより、自動機で平板瓦１０の積みおろしができないということを防止している。
【００１８】
このように、固定突起７を貫通穴１ａに挿入して、平板瓦焼成用棚台１を、支持ビーム４に固定するように構成したので、簡単に平板瓦焼成用棚台１を、支持ビーム４に位置決めして、載せることが可能となる。
【００１９】
なお、固定突起７の形状は円柱形状に限定されず、円筒形状や、角柱形状、角管形状等であってもよく、貫通穴１ａの形状もまた、固定突起７に対応する形状であればよい。
【００２０】
なお、支持ビーム４に、固定突起７を接着することとしたのは、支持ビーム４の断面形状がＵ字形状であるので、押し出し成形で、支持ビーム４を製作することとすると、製作が容易となるからである。しかし、流し込み製法により、支持ビーム４と固定突起７を一体にして製作することとしても差し支えない。
【００２１】
次に、第３の実施形態について説明する。図８に第３の実施形態の支持ビーム４の平面図を示し、図９に第３の実施形態の支持ビーム４の側断面図を示す。
第３の実施形態は、図８や図９に示されるように、支持ビーム４の底部の両端よりもやや内側の部分には、支持ビーム４の幅方向を横断するような、断面形状が半円形状の固定突起８が突設されている。この固定突起８の下部が、耐火モルタル２１で支持ビーム４の底部と接着されている。なお、前記耐火モルタル２１は、熱硬性の耐火モルタル２１であっても差し支えないが、強度の観点から、気硬性の耐火モルタル２１であることが好ましい。
【００２２】
なお、流し込み製法により、支持ビーム４と固定突起８を一体にして製作することとしても差し支えない。
【００２３】
支持ビーム４の内部に配置された、両端の平板瓦焼成用棚台１の固定突起８が突設されている位置に対応する位置には、固定突起８に対応する形状の係合凹部１ｂが形成され、この係合凹部１ｂに固定突起８が係合して、平板瓦焼成用棚台１が支持ビーム４に固定されている。固定突起８で固定されていない、支持ビーム４の内側に配置された、中側の平板瓦焼成用棚台１は、固定突起８で固定された、両側の平板瓦焼成用棚台１により、支持ビーム４の長手方向の動きが規制される。
【００２４】
このように、固定突起８で、平板瓦焼成用棚台１を固定することとしたので、平板瓦焼成用棚台１と支持ビーム４を接着する耐火モルタル２０が剥がれて、平板瓦焼成用棚台１が支持ビーム４上でずれることにより、自動機のロボットアームが、平板瓦焼成用棚台１や平板瓦１０等に干渉してしまうことや、平板瓦１０のピッチが変わってしまうことにより、自動機で平板瓦１０の積みおろしができないということを防止している。
【００２５】
このように、固定突起８を係合凹部１ｂに挿入して、平板瓦焼成用棚台１を、支持ビーム４に固定するように構成したので、簡単に平板瓦焼成用棚台１を、支持ビーム４に位置決めして、載せることが可能となる。
【００２６】
なお、固定突起８の断面形状は、半円形状に限定されず、略長方形状や、三角形状であっても差し支えない。また、固定突起８が支持ビーム４に突設されている位置は、支持ビーム４の底部に限定されず、支持ビーム４の側壁４ａの内側であっても差し支えなく、この場合には、平板瓦焼成用棚台１の側面には、固定突起８に対応する形状の係合凹部１ｂが設けられ、平板瓦焼成用棚台１が支持ビーム４に固定されている。
【００２７】
本発明の平板瓦焼成用窯道具は、複数の平板瓦焼成用棚台１の底面側を、高温強度の高い耐火物からなる断面Ｕ字状の支持ビーム４で支持した構造であり、支持ビーム４の両側の側壁４ａ、４ａが曲げに対するリブとしての効果を発揮することもあって、焼成中においてもほとんど熱変形を生じることがない。このため支持ビーム４を最大で３メートル程度まで長くすることができ、棚組み作業を容易に行うことができる。
【００２８】
また、釉薬の付着や平板瓦焼成用棚台１の部分的な破損が生じた場合にも、従来のように１本の成形体である平板瓦焼成用棚台全部を交換する必要はなく、問題が生じた平板瓦焼成用棚台１のみを交換して対応できるため、交換作業も簡単であり、コスト的にも大幅に低減することができることとなる。
【００２９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う平板瓦焼成用窯道具もまた技術的範囲に包含されるものとして理解されなければならない。      
【図面の簡単な説明】
【００３０】
【図１】第１の実施形態を示す正面図である。
【図２】第１の実施形態を示す側面図である。
【図３】第１の実施形態を示す平面図である。
【図４】支持ビームを示す斜視図である。
【図５】第２の実施形態を示す正面図である。
【図６】第２の実施形態を示す側面図である。
【図７】第２の実施形態を示す平面図である。
【図８】第３の実施形態の支持ビームを示す平面図である。
【図９】第３の実施形態を示す側断面図である。
【図１０】従来例を示す説明図である。
【符号の説明】
【００３１】
１      平板瓦焼成用棚台
１ａ    貫通穴
１ｂ    係合凹部
２      保持溝
３      傾斜支持部
４      支持ビーム
４ａ    側壁
４ｂ    底面
５      平板瓦支持板
６      瓦支持部
７      固定突起
８      固定突起
１０      平板瓦
２０      耐火モルタル
２１      耐火モルタル
【図１】
2007246385.tif 000003
【図２】
2007246385.tif 000004
【図３】
2007246385.tif 000005
【図４】
2007246385.tif 000006
【図５】
2007246385.tif 000007
【図６】
2007246385.tif 000008
【図７】
2007246385.tif 000009
【図８】
2007246385.tif 000010
【図９】
2007246385.tif 000011
【図１０】
2007246385.tif 000012